(57)【要約】      （修正有）【課題】前面からだけ差込み接続できるだけでなく、反対面例えば後面からでも差込み接続できるようにしたコネクターを提供する。【解決手段】固定接点となる基部１から、ガイド片２を突出した狭長ばね板３を延設し、狭長ばね板３の先端部を折り返して同じ側辺のガイド片２同志を接触乃至近接して相対すると共に、相対した前後の各ガイド片２を折り曲げてハ形状のガイド部４としたコネクター部５を形成して、基部１とコネクター部５からなるコネクター部材６を設け、左右一対のコネクター部材６を、そのガイド部４間に設定間隔をおいた状態に絶縁性のケース７内に配置すると共に、前後の各ガイド部４に相対したケース７の前後面にプラグの差込口９を開口して設けた、前後面どちらからでも接続できるコネクター１０とした。【選択図】図１
2004241196.tif 000002
【特許請求の範囲】
【請求項１】
固定接点若しくはターミナルとなる基部から、両側辺に間隔をおいてガイド片を突出した狭長ばね板を延設し、該狭長ばね板の先端部を折り返して同じ側辺のガイド片同志を接触乃至近接して相対すると共に、相対した前後の各ガイド片を折り曲げてハ形状のガイド部としたコネクター部を形成して、基部とコネクター部からなるコネクター部材を設け、
左右一対のコネクター部材を、そのガイド部間に設定間隔をおいた状態に絶縁性のケース内に配置すると共に、前後の各ガイド部に相対したケースの前後面にプラグの差込口を開口して設けたものであり、
ケースの前後面のどちらからもプラグを差込口、ガイド部を通して差込み接続できるように備えたことを特徴とする、
前後面どちらからでも接続できるコネクター。
【請求項２】
固定接点となる基部から、両側辺に間隔をおいてガイド片を突出した狭長ばね板を延設し、該狭長ばね板の先端部を折り返して、同じ側辺のガイド片同志を接触乃至近接して相対すると共に、相対した前後の各ガイド片を折り曲げてハ形状のガイド部としたコネクター部を形成して、基部とコネクター部からなるコネクター部材を設け、
絶縁性の長方形箱体の上面に長方形凹部を形成し、左右一対のコネクター部材を、前記長方形凹部の底面に固定接点となる基部を露出すると共に長方形箱体の左右外部にコネクター部を突出した状態に埋設して、コネクターユニットを設け、
上面にレバーを突設すると共に左右に支軸を突出し、下面にＵ形凹部を形成した絶縁性のばねケースのＵ形凹部内に、Ｕ形のばね片の下半部を２股に分岐し各先端を可動接点としたＵ形接点ばね片を一体的に取付けて、接点ばねユニットを設け、
また、中央部にコネクターユニットを套嵌着する中央凹部を形成すると共にその上面板にレバーを挿通するスリットをあけ、該中央凹部の左右に左右凹部を連設し、該左右凹部の各前後面にプラグの差込口をあけたカバーを設け、
上記コネクターユニットの長方形凹部内に上記接点ばねユニットを挿入して、その支軸を長方形凹部の前後側板の溝に嵌合枢支して、一方の可動接点を一方の固定接点に圧接すると共に他方の可動接点を他方の固定接点の上方に離隔して位置せしめ、上記カバーの中央凹部内に、上記のように接点ばねユニットを挿置したコネクターユニットを挿入し、そのレバーを上面板のスリットから外部上方に突出し、中央凹部の前後面にあけた係合スリットにコネクターユニットの前後面に突設した係合突起を係合して、両者を一体的に嵌着すると共にコネクターユニットの左右に突出したコネクター部の各前後のガイド部を左右凹部の前後面にあけた各差込口に相対して備えたものであり、
プラグをカバーの前面若しくは後面のどちらからも差込み接続できるように備えたものである、プッシュレバースイッチ付コネクター。
【発明の詳細な説明】
【０００１】
【産業上の利用分野】
プラグをコネクター（若しくはコンセント、若しくはソケット）の前面（１面）からだけでなく、前面若しくは後面のどちら側からでも差込み接続できるように備えたことを特徴とするコネクターの構成、若しくは該コネクター構成を備えたプッシュレバースイッチを提供する。
【０００２】
【従来の課題】
従来のコネクターはプラグの差込口が前面等の１面にだけ備えられているため、当然、差込口のある面からだけしかプラグ接続ができなかった。従って、コネクターは常にプラグの差込み接続が可能な差込口のある面を念頭においてその設置位置や姿勢（向き）に配慮する必要があって、その分使用上の制約を受けていた。
【０００３】
然るところ、コネクターも常に定った面（例、前面）だけでなく、その反対側面（例、後面）からも差込み接続ができれば都合が良い場合が多々あり、また、それが可能であれば同じコネクターの場合でも設置使用可能な場合が倍増してコネクターとしての汎用性を向上できることは明らかであるが、そのような課題を解決するコネクターは未だ提供されなかった。
【０００４】
【発明が解決した課題】
そこで、本発明はプラグを従来の如く例えば前面からだけ差込み接続できるだけでなく、反対面例えば後面からでも差込み接続できるようにしたコネクターを開発提供して、従来の課題を解決したものである。
【０００５】
【課題を解決する手段】
即ち、本発明は、固定接点若しくはターミナルとなる基部から、両側辺に間隔をおいてガイド片を突出した狭長ばね板を延設し、該狭長ばね板の先端部を折り返して同じ側辺のガイド片同志を接触乃至近接して相対すると共に、相対した前後の各ガイド片を折り曲げてハ形状のガイド部としたコネクター部を形成して、基部とコネクター部からなるコネクター部材を設け、
【０００６】
左右一対のコネクター部材を、そのガイド部間に設定間隔をおいた状態に絶縁性のケース内に配置すると共に、前後の各ガイド部に相対したケースの前後面にプラグの差込口を開口して設けたものであり、
【０００７】
ケースの前後面のどちらからもプラグを差込口、ガイド部を通して差込み接続できるように備えたことを特徴とする、前後面どちらからでも接続できるコネクターによって、課題を解決したものである。
【０００８】
【課題を解決する手段】
また、本発明は、固定接点となる基部から、両側辺に間隔をおいてガイド片を突出した狭長ばね板を延設し、該狭長ばね板の先端部を折り返して、同じ側辺のガイド片同志を接触乃至近接して相対すると共に、相対した前後の各ガイド片を折り曲げてハ形状のガイド部としたコネクター部を形成して、基部とコネクター部からなるコネクター部材を設け、
【０００９】
絶縁性の長方形箱体の上面に長方形凹部を形成し、左右一対のコネクター部材を、前記長方形凹部の底面に固定接点となる基部を露出すると共に長方形箱体の左右外部にコネクター部を突出した状態に埋設して、コネクターユニットを設け、
【００１０】
上面にレバーを突設すると共に左右に支軸を突出し、下面にＵ形凹部を形成した絶縁性のばねケースのＵ形凹部内に、Ｕ形のばね片の下半部を２股に分岐し各先端を可動接点としたＵ形接点ばね片を一体的に取付けて、接点ばねユニットを設け、
【００１１】
また、中央部にコネクターユニットを套嵌着する中央凹部を形成すると共にその上面板にレバーを挿通するスリットをあけ、該中央凹部の左右に左右凹部を連設し、該左右凹部の各前後面にプラグの差込口をあけたカバーを設け、
【００１２】
上記コネクターユニットの長方形凹部内に上記接点ばねユニットを挿入して、その支軸を長方形凹部の前後側板の溝に嵌合枢支して、一方の可動接点を一方の固定接点に圧接すると共に他方の可動接点を他方の固定接点の上方に離隔して位置せしめ、上記カバーの中央凹部内に、上記のように接点ばねユニットを挿置したコネクターユニットを挿入し、そのレバーを上面板のスリットから外部上方に突出し、中央凹部の前後面にあけた係合スリットにコネクターユニットの前後面に突設した係合突起を係合して、両者を一体的に嵌着すると共にコネクターユニットの左右に突出したコネクター部の各前後のガイド部を左右凹部の前後面にあけた各差込口に相対して備えたものであり、
【００１３】
プラグをカバーの前面若しくは後面のどちらからも差込み接続できるように備えたものである、プッシュレバースイッチ付コネクターによって、課題を解決したものである。
【００１４】
【実施例】
以下、本発明の実施例を説明する。
図１、図２、及び図８、図９、図１０を参照。
固定接点若しくはターミナルとなる基部１から、両側辺に間隔をおいてガイド片２を突出した狭長ばね板３を延設し（図８）、該狭長ばね板３の先端部を折り返して同じ側辺のガイド片２同志を接触乃至近接して相対すると共に、相対した前後の各ガイド片２を折り曲げてハ形状のガイド部４としたコネクター部５を形成して、基部１とコネクター部５からなるコネクター部材６を設け（図９、図１０）、
【００１５】
左右一対のコネクター部材６を、そのガイド部４間に設定間隔をおいた状態に絶縁性のケース７内に配置すると共に、前後の各ガイド部４に相対したケース７の前後面にプラグ８の差込口９を開口して設けたものであり、
【００１６】
ケース７の前後面のどちらからもプラグ８を差込口９、ガイド部４を通して差込み接続できるように備えて、前後面どちらからでも接続できるコネクター１０（図１、図２）を設けたものである。
【００１７】
【実施例】
図３乃至図２０を参照。
固定接点となる基部１から、両側辺に間隔をおいてガイド片２を突出した狭長ばね板３を延設し、該狭長ばね板３の先端部を折り返して、同じ側辺のガイド片２同志を接触乃至近接して相対すると共に、相対した前後の各ガイド片２を折り曲げてハ形状のガイド部４としたコネクター部５を形成して、基部１とコネクター部５からなるコネクター部材６を設け（図８、図９、図１０を参照）、
【００１８】
絶縁性の長方形箱体の上面に長方形凹部１１を形成し、左右一対のコネクター部材６を、前記長方形凹部１１の底面に固定接点となる基部１を露出すると共に長方形箱体の左右外部にコネクター部５を突出した状態に埋設して、コネクターユニット１２を設け（図１１、図１２、図１３を参照）、
【００１９】
上面にレバー１３を突設すると共に左右に支軸１４を突出し、下面にＵ形凹部１５を形成した絶縁性のばねケース１６のＵ形凹部１５内に、Ｕ形のばね片の下半部を２股に分岐し各先端を可動接点ａ、ｂとしたＵ形接点ばね片１７を一体的に取付けて、接点ばねユニット１８を設け（図１４、図１５、図１６を参照）、
【００２０】
また、中央部にコネクターユニット１２を套嵌着する中央凹部１９を形成すると共にその上面板にレバー１３を挿通するスリット２０をあけ、該中央凹部１９の左右に左右凹部２１を連設し、該左右凹部２１の各前後面にプラグ８の差込口９をあけたカバー２２を設け（図１７、図１８、図１９、図２０を参照）、
【００２１】
上記コネクターユニット１２の長方形凹部１１内に上記接点ばねユニット１８を挿入して、その支軸１４を長方形凹部１１の前後側板の溝２８に嵌合枢支して、一方の可動接点ａを一方の固定接点１ａに圧接すると共に他方の可動接点ｂを他方の固定接点１ｂの上方に離隔して位置せしめ、上記カバー２２の中央凹部１９内に、上記のように接点ばねユニット１８を挿置したコネクターユニット１２を挿入し、そのレバー１３を上面板のスリット２０から外部上方に突出し、中央凹部１９の前後面にあけた係合スリット２３にコネクターユニット１２の前後面に突設した係合突起２４を係合して、両者１２、２２を一体的に嵌着すると共にコネクターユニット１２の左右に突出したコネクター部５の各前後のガイド部４を左右凹部２１の前後面にあけた各差込口９に相対して備えたものであり、
【００２２】
プラグ８をカバー２２の前面若しくは後面のどちらからも差込み接続できるように備えて、プッシュレバースイッチ付コネクター２５（図３、図４、図５、図６、図７を参照）を設けたものである。
【００２３】
符号２６は、コネクターユニット１２のガイド孔２７に係合するガイド突起を示す。
【００２４】
【作用】
プラグ８をコネクター１０、２５の前面若しくは後面の差込口９から差込むと、プラグ８の先端が差込口９を通ってコネクター部５のガイド部４に衝突し、ガイド片２にガイドさればね板３を押込力で拡開して差込まれ導電接続される。
【００２５】
プッシュレバースイッチ２５の場合、上記のようにプラグ８を差込み接続した状態でカバー２２の上面外方に突出したレバー１３を押圧すると、支軸１４を中心として接点ばねユニット１８が回動し、そのＵ形接点ばね片１７の、他方の固定接点１ｂ上方に離隔していた他方の接点ｂが下降して固定接点１ｂに圧接してスイッチＯＮとなり、また、レバー１３の押圧を解くとＵ形接点ばね１７片の復元弾力で原状に復帰し、他方の接点ａが再び上昇離隔してスイッチＯＦＦとなる。
【００２６】
【効果】
コネクター部材のコネクター部の前後にガイド片によるガイド部を形成することによって、プラグを前、後のどちらから差込んでも、ばね板の挟圧力でプラグを挟持して有効な導電状態を形成できるように構成したので、この構成を用いて設けた各種コネクターは、プラグを該コネクターの前、後のどちらの面からでも差込み接続でき、よって、コネクターとしての汎用性を倍増し得る優れた特徴がある。
【００２７】
本発明のコネクター構成は、図１示例のような通常の電源用コネクターや、図３示例のようなプッシュレバースイッチ付コネクターに実施する他、前、後若しくは表、裏等の両面のどちらからでも差込み接続できる各種のコネクターに実施できる優れた利点がある。
【００２８】
従来は例えば前面だけからしか差込み接続できなかったプッシュレバースイッチに実施して、実施例のような前、後どちらの面からもプラグ接続ができる極めて便利なプッシュレバースイッチを提供できる。
【図面の簡単な説明】
【図１】本発明を実施したコネクター（例、電源用コネクター）の縦断正面図。
【図２】図１のＡ−Ａ線矢視断面図。
【図３】本発明を実施したコネクター（例、プッシュレバースイッチ付コネクター）の正面図、平面図、及び右側面図。
【図４】図３の背面図。
【図５】図３のＢ−Ｂ線矢視断面図。
【図６】図３のＣ−Ｃ線矢視断面拡大図。
【図７】図３のＤ−Ｄ線矢視断面拡大図。
【図８】ばね板をプレス加工して設けた左右一対のコネクター部材の素材板展開状態図。
【図９】図７の素材板を曲げ加工、及び切断加工して設けた左右一対のコネクター部材の正面図、平面図、及び右側面図。
【図１０】図８のＥ−Ｅ線矢視断面拡大図。
【図１１】コネクターユニットの正面図、平面図、及び右側面図。
【図１２】図１１のＦ−Ｆ線矢視断面図。
【図１３】図１１のＧ−Ｇ線矢視断面図。
【図１４】接点ばねユニットの正面図、平面図、底面図、及び右側面図。
【図１５】図１４のＨ−Ｈ線矢視断面図。
【図１６】図１４のＩ−Ｉ線矢視断面図。
【図１７】カバーの正面図、平面図、底面図、及び右側面図。
【図１８】図１７のＪ−Ｊ線矢視断面図。
【図１９】図１７のＫ−Ｋ線矢視断面図。
【図２０】図１７のＬ−Ｌ線矢視断面図。
【符号の説明】
ａ    可動接点
ｂ    かどう接点
１ａ  固定接点
１ｂ  固定接点
１    基部
２    ガイド片
３    狭長ばね板
４    ガイド部
５    コネクター部
６    コネクター部材
７    ケース
８    プラグ
９    差込口
１０  コネクター
１１  長方形凹部
１２  コネクターユニット
１３  レバー
１４  支軸
１５  Ｕ形凹部
１６  ばねケース
１７  Ｕ形接点ばね片
１８  接点ばねユニット
１９  中央凹部
２０  スリット
２１  左右凹部
２２  カバー
２３  係合スリット
２４  係合突起
２５  プッシュレバースイッチ付コネクター
２６  ガイド突起
２７  ガイド孔
２８  溝
【図１】
2004241196.tif 000003
【図２】
2004241196.tif 000004
【図３】
2004241196.tif 000005
【図４】
2004241196.tif 000006
【図５】
2004241196.tif 000007
【図６】
2004241196.tif 000008
【図７】
2004241196.tif 000009
【図８】
2004241196.tif 000010
【図９】
2004241196.tif 000011
【図１０】
2004241196.tif 000012
【図１１】
2004241196.tif 000013
【図１２】
2004241196.tif 000014
【図１３】
2004241196.tif 000015
【図１４】
2004241196.tif 000016
【図１５】
2004241196.tif 000017
【図１６】
2004241196.tif 000018
【図１７】
2004241196.tif 000019
【図１８】
2004241196.tif 000020
【図１９】
2004241196.tif 000021
【図２０】
2004241196.tif 000022